(57)【要約】      （修正有）【課題】弁当箱内の油汚れによって汚染されるのを防止し、その後のリサイクルプロセスにおいて、洗浄剤および洗浄用水を節約し、環境汚染を減らすことができるリサイクル容易な使い捨て弁当箱を提供する。【解決手段】容器本体１と保護層２とを含む使い捨て弁当箱であって、容器本体１の裏側には複数の接合ポイントが設けられている。保護層２は、接合ポイントを介して引き剥がし可能に容器本体１の裏側に接合されている。弁当箱は、使用前、使用中及び使用後において、その主なプラスチック構造は保護層２によって保護される。【選択図】図１
0003229747.tif 000002
【実用新案登録請求の範囲】
【請求項１】
容器本体（１）と保護層（２）とを含むリサイクル容易な使い捨て弁当箱であって、
前記容器本体（１）の裏側に複数の接合ポイントが設けられ、前記保護層（２）は接合ポイントを介して引き剥がし可能に前記容器本体（１）の裏側に接合され、前記保護層（２）の材料は柔軟で易分解性の材料であることを特徴とするリサイクル容易な使い捨て弁当箱。
【請求項２】
前記接合ポイントは、円形であり、その直径が０．１〜５ｍｍであることを特徴とする請求項１に記載のリサイクル容易な使い捨て弁当箱。
【請求項３】
前記接合ポイントは、帯形または環形であり、その幅は０．１〜５ｍｍであることを特徴とする請求項１に記載のリサイクル容易な使い捨て弁当箱。
【請求項４】
各接合ポイント間の距離は、２〜８ｍｍであることを特徴とする請求項２または３に記載のリサイクル容易な使い捨て弁当箱。
【請求項５】
前記接合ポイントを中心に０．１〜５ｍｍの範囲内の前記保護層（２）の厚さは、残りの部分の前記保護層（２）の厚さの１．５〜２．５倍であることを特徴とする請求項１〜３の何れか１項に記載のリサイクル容易な使い捨て弁当箱。
【請求項６】
前記保護層（２）の周縁に閉鎖機構が設けられていることを特徴とする請求項１に記載のリサイクル容易な使い捨て弁当箱。
【請求項７】
前記保護層（２）の周縁は前記容器本体（１）より高くて、前記閉鎖機構は前記容器本体（１）の外側に設けられていることを特徴とする請求項６に記載のリサイクル容易な使い捨て弁当箱。
【請求項８】
前記保護層（２）の最外縁にカラー（５）が設けられ、前記閉鎖機構は前記カラー内にセットされたゴムひも（４）であることを特徴とする請求項６または７に記載のリサイクル容易な使い捨て弁当箱。
【請求項９】
前記保護層（２）の最外縁にカラー（５）が設けられ、前記閉鎖機構は前記カラー（５）内にセットされ前記カラー５から部分的に伸びたプルストラップ（６）であることを特徴とする請求項６または７に記載のリサイクル容易な使い捨て弁当箱。
【請求項１０】
前記保護層（２）の外縁と前記容器本体（１）との接続箇所に引き剥がし手段（７）が設けられていることを特徴とする請求項１に記載のリサイクル容易な使い捨て弁当箱。
【考案の詳細な説明】
【技術分野】
【０００１】
本考案は、使い捨て食器、特にリサイクル容易なプラスチック製の使い捨て食器に関するものである。
【背景技術】
【０００２】
ＰＰ（ポリプロピレン）は、優れた機械性能や熱的性能を有し、一般的にその使用温度が−６℃〜１２０℃であるので、とりわけ熱い食事を盛るのに適している。現在、ＰＰは市場で使い捨て弁当箱の主な材料であり、高温（２８０℃超え）または紫外線照射で分解するが、普通に自然光条件下で分解するのに９０日間程度かかる。一般的に、使い捨て弁当箱は、使用された後に生活ごみとして捨てられるが、通常、生活ごみを自然光条件下で９０日間分解させることが滅多になく、紫外光または高温により分解させることもしない。簡単な選別後に埋立て作業を行うのが一般的であるが、これだけでは弁当箱が適時に分解されず、固形廃棄物が大量に発生することになる。
【０００３】
固形廃棄物の埋立てコストがますます高くなるにつれて、固形廃棄物からのＰＰのリサイクル・利用もますます注目を浴びている。ＰＰのリサイクルプロセスには、一般的に、(1)納品選別工程、(2)破砕、洗浄、日干し、(3)混色、(4)造粒という工程が含まれる。その中で、工程(2)は、まず分類済のＰＰ原料を破砕機に入れて粉砕工程を行い、伝送帯にて粉砕した欠片を洗浄槽に入れて、高圧水流しの洗浄及び洗浄槽における複数のローラーを通過し、繰り返して洗浄した後、伝送帯にて次の工程へ送り、その後脱水機で脱水した後に日干しをすることにより行われる。使い捨て弁当箱は、普通各種の出前料理を盛るために使われるので、各種の油汚れが付けられることがある。該油汚れの洗浄には、浄剤と水が大量に使われて、二次的な汚染にもなる。従って、どのようにＰＰを主な材料とした使い捨て弁当箱に使用中に油汚れが付けられるのを防ぐか、そして、これによりリサイクルコストを省き、リサイクル中の汚染を防ぐことは、早急に解決すべき問題となっている。
【考案の概要】
【考案が解決しようとする課題】
【０００４】
本考案の課題は、リサイクル容易な使い捨て弁当箱を提供することであり、該弁当箱は、リサイクル中のコストを省き、リサイクル効率を上げることができる。
【課題を解決するための手段】
【０００５】
上記の技術課題を解決するために、本考案は、容器本体及び保護層を含み、上記容器本体の裏側に複数の接合ポイントが設けられ、上記保護層が接合ポイントにて引き剥がし可能に容器本体１の裏側に接合され、それによって食器を使用する前及び使用する時に該保護層が容器本体に固定され、そして使用後に容器本体の内部からきれいに引き剥がされ得るリサイクル容易な使い捨て弁当箱を提供する。
【０００６】
さらに、接合ポイントの形状は点状に限定されないが、円形であってもよく、帯形または環形であってもよい。円形の場合、その直径が０．１〜５ｍｍであり、帯形または環形の場合、その帯幅または環幅が０．１〜５ｍｍである。
【０００７】
さらに、保護層が弁当箱本体から剥離されるときに徐々に剥離される効果をもたらすために、各接合ポイント間の距離が２〜８ｍｍに維持される。
【０００８】
さらに、剥離時の破損を防止するために、上記接合ポイントを中心に０．１〜５ｍｍの範囲の保護層の厚さは、残りの部分の保護層の厚さの１．５〜２．５倍である。
【０００９】
さらに、上記保護層の周縁に閉鎖機構が設けられているので、引き剥がした後の保護層を容易に閉鎖することができ、弁当箱内の食べ残しやスープをパックしてこぼれ落ちるのを減らすことができる。
【００１０】
弁当箱内の油汚れによる容器本体の汚染をさらに防止するために、保護層の周縁は容器本体より高く、上記閉鎖機構は容器本体の外側に設けられる。
【００１１】
上記のような閉鎖機構は、ゴムひもまたはプルストラップであり得、フィルム形状またはバッグ形状の容器を閉鎖することができる任意の従来機構であり得る。閉鎖機構がゴムひもである場合、保護層の最外縁にカラーが設けられており、カラー内に設けられたゴムひもを介して容器本体に接続されている。閉鎖機構がプルストラップである場合、保護層の最外縁にカラーが設けられており、プルストラップがカラー内にセットされ、カラーから延び出した部分が締め付け用となる。
【００１２】
さらに、保護層の引き剥がしを容易にするために、保護層の外縁と容器本体との接続箇所に引き剥がし口が設けられている。
【考案の効果】
【００１３】
上記の技術的解決策を使用すると、本考案は以下の利点を有する。
【００１４】
合理的な構造設計により、弁当箱の主なプラスチック構造は、弁当箱内の油汚れによって汚染されるのを防ぐために、使用前、使用中、使用後に保護層によって保護され、その後のリサイクルプロセスで洗浄剤及び洗浄用水を節約し、環境汚染を減らすことができる。
【図面の簡単な説明】
【００１５】
【図１】本考案の実施形態の側面図である。
【図２】図１の概略断面図である。
【図３】本考案の別の実施形態の概略断面図である。
【図４】図３の部分拡大図である。
【図５】本考案のさらに別の実施形態の側面図である。
【考案を実施するための形態】
【００１６】
以下、具体的な実施例を通じて本考案をさらに説明する。実施例における「１つの実施例では」、「より好ましい実施例では」などの用語は、少なくとも該実施例に関連する特定の特徴、構造または特性が本考案の少なくとも１つの実現方式に含まれることを指すことに留意されたい。本明細書の異なる場所にある「１つの実施例では」、「より好ましい実施例では」は、必ずしもすべてが同じ実施例を指すとは限らず、他の実施例と相互に排他的な別個または選択的な実施例である必要もない。
【００１７】
図１〜５に示すように、本考案のリサイクル容易な使い捨て弁当箱は、容器本体１と保護層２を含む。容器本体１の裏側には、複数の接合ポイント（図示省略）が設けられている。保護層２は、接合ポイントを介して引き剥がし可能に容器本体１の裏側に接合されている。そのため、食器の使用前及び使用中に保護層２が容器本体１に固定され得、そして使用後に容器本体１の内部からきれいに引き剥がされ得る。本考案において、容器本体１は、ＰＰなどの容器全体を支持する一定の機械強度を有する材料からなり、保護層２は、ポリ乳酸（ＰＬＡ）などの柔軟で易分解性の材料からなることが好ましい。その加工プロセスは、一般に次の通りである。まず、容器本体１の部品を用意し、容器本体１に圧縮成形により保護層２を配合し、圧縮成形時に高温により保護層２と容器本体１との間に接合ポイントを形成する。接合ポイントと呼ばれるが、接合ポイントの形状は点形状に限定されるものではなく、容器の形成や接合箇所に応じて選択され、一般的には円形、帯形または環形などがある。円形の場合、その直径が０．１〜５ｍｍであり、帯形または環形の場合、その帯幅または環幅が０．１〜５ｍｍである。１つの実施例では、円形の弁当箱の底部に複数の環形の接合ポイントが設けられており、側壁には、複数の帯形の接合ポイントが分布している。保護層は、弁当箱本体から剥離されるときに徐々に剥離される効果をもたらすために、１つの実施形態では、各接合ポイント間の距離が２〜８ｍｍに維持され、剥離時の破損を防止するために、接合ポイントを中心に０．１〜５ｍｍの範囲の保護層の厚さは、残りの部分の保護層の厚さの１．５〜２．５倍である。
【００１８】
より好ましい実施例では、上記保護層２の周縁に閉鎖機構が設けられているので、引き剥がされた後の保護層を手軽に閉ざすことができ、弁当箱内の食べ残しやスープをパックしてこぼれ落ちるのを減らすことができる。
【００１９】
より好ましい実施例では、弁当箱内の油汚れによる容器本体１の汚染をさらに防止するために、保護層２の周縁は容器本体１より高く、上記閉鎖機構は容器本体の外側に設けられる。
【００２０】
前記のような閉鎖機構は、フィルム形状またはバッグ形状の容器を閉鎖することができる任意の従来機構であり得る。１つの実施例では、閉鎖機構は、ゴムひも４であり、食器が使用される前および使用中に、保護層２の延びた部分が上記ゴムひも４を介して容器本体１に接続され、使用後に保護層を引き剥がした後、ゴムひも４が締められ、保護層２を閉ざす（本考案で言及されるゴムひもは、図３に示される紐状の形状に限定されず、棒状などの形状であってもよいことに留意されたい）。１つの実施例では、閉鎖機構は、プルストラップ６であり、保護層の最外縁にカラー５が設けられ、プルストラップ６がカラー５内にセットされ、保護層２を引き剥がした後、プルストラップ６を締めることにより保護層を閉ざす。
【００２１】
より好ましい実施例では、保護層２の引き剥がしを容易にするために、保護層２の外縁と容器本体１との接続箇所に引き剥がし口７が設けられている。
【００２２】
以下、本考案の使い捨て弁当箱のリサイクル方法について簡単に説明すると、食事中、食品は保護層２に入れられ、容器本体１を汚染しないようにする。食事後、保護層２は容器本体１から剥がされ、そして閉鎖機構により閉鎖されて廃棄される。残りの容器本体１は、直接リサイクルし、顆粒状に粉砕し、直接再利用することができる（従来技術と比較して、洗浄・乾燥工程が省かれる）。
【００２３】
上記の実施例は、本考案の技術的概念および特徴を説明するためだけのものであり、その目的は、技術に精通している人が本考案の内容を理解し、それに応じて実施できるようにすることであり、本考案の保護範囲を限定することができない。本考案の精神に従ってなされたすべての同等効果の変更または修正は、本考案の保護範囲内に含まれるべきである。
【符号の説明】
【００２４】
１    容器本体
２    保護層
４    ゴムひも
５    カラー
６    プルストラップ
７    引き剥がし手段
【図１】
0003229747.tif 000003
【図２】
0003229747.tif 000004
【図３】
0003229747.tif 000005
【図４】
0003229747.tif 000006
【図５】
0003229747.tif 000007